(57)【要約】【課題】  高品質の光量調整装置を提供する。【解決手段】  第１電極を備える第１基板と、第２電極を備える第２基板と、第１基板と第２基板の間に配置され、エレクトロデポジション材料を含む電解質層とを有し、平面視上、第１電極と第２電極が重なる領域に画素が画定されるエレクトロデポジション素子と、エレクトロデポジション素子の動作を制御する制御装置とを有し、照明装置から出射される光の光量を調整する光量調整装置を提供する。【選択図】  図１
2015210341.tif 000002
【特許請求の範囲】
【請求項１】
第１電極を備える第１基板と、第２電極を備える第２基板と、前記第１基板と前記第２基板の間に配置され、エレクトロデポジション材料を含む電解質層とを有し、平面視上、前記第１電極と前記第２電極が重なる領域に画素が画定されるエレクトロデポジション素子と、
前記エレクトロデポジション素子の動作を制御する制御装置と
を有し、
照明装置から出射される光の光量を調整する光量調整装置。
【請求項２】
前記エレクトロデポジション素子の画素はドットマトリクス状に分布し、前記制御装置は、画素単位で前記エレクトロデポジション素子の透過率を制御する請求項１に記載の光量調整装置。
【請求項３】
前記第１電極、前記第２電極の少なくとも一方は、表面に高低差１００ｎｍ〜５００ｎｍの凹凸を有する装飾電極である請求項１または２に記載の光量調整装置。
【請求項４】
前記第１基板と前記第２基板の少なくとも一方は、プリズム形状の透明部材を備え、前記透明部材上に電極が形成されている請求項１〜３のいずれか１項に記載の光量調整装置。
【発明の詳細な説明】
【技術分野】
【０００１】
本発明は、照明光の光量を調整する光量調整装置に関する。
【背景技術】
【０００２】
カメラに使用されるストロボは、撮影時に発光し、同一輝度で被写体を照明する。至近距離にある対象や、ガラス、眼鏡、人間や動物の目等の反射しやすい対象を撮影する場合、たとえばストロボの前面にディフューザを配置し、ストロボで発光された光を拡散させて、反射を抑えた撮影が行われる。
【０００３】
図７Ａ、図７Ｂは、それぞれディフューザが取り付けられたストロボを示す概略的な正面図、側面図である。
【０００４】
ストロボ（照明装置）３１は、光源３１ａ及びリフレクタ３１ｂを備える。光源３１ａで発光された光は、直接、またはリフレクタ３１ｂで反射され、ストロボ光（照明光）出射面３１ｃからストロボ３１外部に出射される。ディフューザ３２は、ストロボ３１の光出射面３１ｃを覆うように配置される。
【０００５】
ストロボ３１の光出射面３１ｃにディフューザ３２を配置すると、照明光の輝度が全体的に低下し、被写体に照射される光の量が少なくなるため、露光時間を微調整する必要が生じる。また、撮影に光量を要する被写体部分が暗く写ってしまう。更に、ディフューザ３２の着脱に手間を要する。
【０００６】
高分子分散型液晶素子をストロボの発光面の前面に取り付け、発光した光の拡散度合いを任意に変更する発光量可変ストロボの発明が開示されている（特許文献１参照）。
【０００７】
また、高分子液晶層を用い、ストロボ光の拡散状態を、領域ごとに変化させる可変ストロボ拡散板装置の発明が開示されている（特許文献２参照）。
【０００８】
しかしながら、液晶を使用してストロボ光の拡散等を行う装置においては、電圧による液晶層の光透過率制御が難しいことに起因して、減光度合いや拡散度合いを調整することが困難である。
【０００９】
ストロボ光拡散板の駆動機構に係る発明が知られている（特許文献３参照）。特許文献３記載の発明によれば、ＡＦ測距部で測距された距離が所定値以下のときに、ストロボ発光部の前面に拡散板を配置してストロボ光を拡散させる。
【００１０】
また、ストロボ光出射面の前側を含む任意の位置に光拡散板を回動して停止させる、フラップ型の光拡散板付ストロボの発明が公知である（特許文献４参照）。
【００１１】
特許文献３及び４に記載される発明においては、機械的手段が使用されるため、小型化や軽量化が困難である。更に、これらを用いて撮像を行うときには、機械的手段の動作で発生する振動により、撮影画像にぶれが生じる場合がある。
【００１２】
電圧の印加（通電）による電気化学的可逆反応（電解酸化還元反応）による物質の色変化現象を利用した非発光型素子として、エレクトロクロミック素子が知られている。
【００１３】
エレクトロクロミック材料（通電によって電気化学的な酸化または還元反応を起こし、発色または消色等の変色を生じる材料）のうち、酸化または還元反応によって、材料の一部が、たとえば電極上に析出・堆積（エレクトロデポジション）、または、電極上から消失するものを、エレクトロデポジション材料と呼ぶ。また、エレクトロデポジション材料を用いた素子をエレクトロデポジション素子と呼ぶ。
【００１４】
高品質の鏡面状態を有するエレクトロデポジション素子の発明が開示されている（特許文献５参照）。エレクトロデポジション素子は、たとえば銀の錯体を含む電解質層を備え、通電により電極上に銀を析出させることで鏡面状態を実現する。電解質層は、更に、たとえば銅を含む。エレクトロデポジション素子は、電圧無印加時には透明状態を実現する。
【先行技術文献】
【特許文献】
【００１５】
【特許文献１】特開平８−６２６７４号公報
【特許文献２】特開平１０−２６７９３号公報
【特許文献３】特開平６−２２２４３１号公報
【特許文献４】特開２０１０−３２７５１号公報
【特許文献５】特開２０１２−１８１３８９号公報
【発明の概要】
【発明が解決しようとする課題】
【００１６】
本発明の目的は、高品質の光量調整装置を提供することである。
【課題を解決するための手段】
【００１７】
本発明の一観点によると、第１電極を備える第１基板と、第２電極を備える第２基板と、前記第１基板と前記第２基板の間に配置され、エレクトロデポジション材料を含む電解質層とを有し、平面視上、前記第１電極と前記第２電極が重なる領域に画素が画定されるエレクトロデポジション素子と、前記エレクトロデポジション素子の動作を制御する制御装置とを有し、照明装置から出射される光の光量を調整する光量調整装置が提供される。
【発明の効果】
【００１８】
本発明によれば、高品質の光量調整装置を提供することができる。
【図面の簡単な説明】
【００１９】
【図１】図１Ａ、図１Ｂは、それぞれ実施例による光量調整装置３５を示す概略的な正面図、側面図である。
【図２】図２は、第１実施例による光量調整装置３５を示す概略的な断面図である。
【図３】図３Ａは、第２実施例の上側及び下側透明電極１２ａ、１２ｂを示す概略的な平面図であり、図３Ｂは、第２実施例による光量調整装置３５を示す概略的な正面図である。
【図４】図４Ａは、第３実施例による光量調整装置３５を示す概略的な断面図であり、図４Ｂは、第３実施例の変形例による光量調整装置３５を示す概略的な断面図である。
【図５】図５Ａは、第４実施例による光量調整装置３５を示す概略的な断面図であり、図５Ｂは、金型の概形を示す斜視図である。
【図６】図６は、第５実施例による光量調整装置３５を示す概略的な断面図である。
【図７】図７Ａ、図７Ｂは、それぞれディフューザが取り付けられたストロボを示す概略的な正面図、側面図である。
【発明を実施するための形態】
【００２０】
図１Ａ、図１Ｂは、それぞれ実施例による光量調整装置３５を示す概略的な正面図、側面図である。
【００２１】
実施例による光量調整装置３５は、エレクトロデポジション素子３３及び制御装置３４を含んで構成される。制御装置３４は、エレクトロデポジション素子３３の動作を制御する。
【００２２】
エレクトロデポジション素子３３の画素形成領域は、ストロボ３１のストロボ光（照明光）出射面３１ｃを覆うように配置される。すなわちエレクトロデポジション素子３３の画素形成領域のサイズは、光出射面３１ｃのサイズと等しい、またはそれより大きい。なお、ストロボ３１は、たとえば図７Ａ及び図７Ｂに示すそれと等しい。
【００２３】
以下、実施例（第１〜第５実施例）による光量調整装置３５を詳述する。第１〜第５実施例による光量調整装置３５は、エレクトロデポジション素子３３の電極の形成態様等において相違する。
【００２４】
図２は、第１実施例による光量調整装置３５を示す概略的な断面図である。
【００２５】
第１実施例による光量調整装置３５のエレクトロデポジション素子３３は、たとえば略平行に離間して対向配置された上側基板１０ａ、下側基板１０ｂ、及び、両基板１０ａ、１０ｂ間に配置された電解質層１４を含んで構成される。
【００２６】
上側基板１０ａ、下側基板１０ｂは、それぞれ上側透明基板１１ａ、下側透明基板１１ｂ、及び、各透明基板１１ａ、１１ｂ上に形成された上側透明電極１２ａ、下側透明電極１２ｂを含む。透明電極１２ａ、１２ｂは、表面が平滑なベタ電極（全面電極）である。上側透明基板１１ａ及び下側透明基板１１ｂは、たとえば透明なガラス基板もしくはフィルム基板であり、上側透明電極１２ａ及び下側透明電極１２ｂは、たとえばＩＴＯ等の透明導電材料で形成される。平面視上（基板１０ａ、１０ｂの法線方向から見たとき）、両電極１２ａ、１２ｂが重なる領域に画素が画定される。
【００２７】
電解質層１４は、上側基板１０ａと下側基板１０ｂの間の、シール部１３の内側領域に配置され、銀を含有するエレクトロデポジション材料を含む。
【００２８】
基板１０ａ、１０ｂ（電極１２ａ、１２ｂ）間に制御装置３４が接続される。制御装置３４は、電極１２ａ、１２ｂ間に直流電圧を印加し、エレクトロデポジション素子３３を駆動する。
【００２９】
電圧無印加時、エレクトロデポジション素子３３は、入射光を透過させる。
【００３０】
また制御装置３４により、たとえば上側透明電極１２ａを負、下側透明電極１２ｂを正として両電極１２ａ、１２ｂ間に直流電圧（一例として、２Ｖ〜３Ｖ程度）を印加し、両電極１２ａ、１２ｂ間の電解質層１４に電流を流すと、電解質層１４に含まれる銀イオンが還元されて、上側透明電極１２ａ（負電圧側となる電極）近傍で金属の銀に変化し、電極１２ａ上に析出・堆積して、銀薄膜が形成される。銀薄膜は鏡面として作用し、画素に入射する光を反射する。
【００３１】
更に、制御装置３４は、電極１２ａ、１２ｂに印加する電圧値や電圧印加時間（電解質層１４に与える電流値や通電時間）を変えることによって、エレクトロデポジション素子３３の透過率及び反射率（透過及び反射の状態）を制御することができる。したがって、たとえばエレクトロデポジション素子３３の透明状態、ハーフミラー状態、ミラー状態を任意に変更することができる。
【００３２】
このようにエレクトロデポジション素子３３は、電極１２ａ、１２ｂへの直流電圧の印加態様によって、画素位置における透過及び反射の状態を制御可能なミラーデバイスである。
【００３３】
なお銀薄膜は、電圧をＯＦＦ（０Ｖもしくは開放状態）とするか、逆バイアスを印加することにより、電極上から消失する。逆バイアスを印加する方が、速やかに銀を消失させてエレクトロデポジション素子３３を透明状態とすることができる。
【００３４】
第１実施例による光量調整装置３５のエレクトロデポジション素子３３は、たとえば以下のように作製される。
【００３５】
透明電極１２ａ、１２ｂが形成された、一対のガラス基板もしくはフィルム基板（透明基板１１ａ、１１ｂ）を準備する。透明基板１１ａ、１１ｂ上の透明電極には、たとえば平滑性のあるＩＴＯ膜が用いられる。ＩＴＯ膜は、スパッタ、蒸着等により成膜することができる。
【００３６】
次に、一対の透明基板１１ａ、１１ｂを、透明電極１２ａ、１２ｂが対向するように配置してセル化を行う。
【００３７】
たとえば２０μｍ〜数百μｍ径、実施例においては５００μｍ径のギャップコントロール剤を、一対の基板１１ａ、１１ｂの一方上に、一例として１個〜３個／ｍｍ２となるように散布する。ギャップコントロール剤の径に応じ、光量調整装置３５の機能に影響を与えにくい散布量とすることが望ましい。なお、実施例による光量調整装置３５に使用されるエレクトロデポジション素子３３においては、多少ギャップムラがあっても機能への影響は少ないため、ギャップコントロール剤の散布量の重要性は高くない。また実施例においては、ギャップコントロール剤を用いてギャップコントロールを行うが、リブなどの突起によってギャップコントロールを行うことも可能である。更に、小型セルの場合は、シール部分に所定厚さのフィルム状スペーサを配置してギャップを制御してもよい。
【００３８】
一対の基板１１ａ、１１ｂの他方上に、メインシールパターンを形成した。実施例では、紫外線＋熱硬化タイプのシール材を用いた。シール材として、光硬化タイプ、または熱硬化タイプを使用してもよい。なお、ギャップコントロール剤の散布とメインシールパターンの形成は同一基板側に行ってもよい。
【００３９】
次に、エレクトロデポジション材料を含む電解液を一対の基板１１ａ、１１ｂ間に封入した。
【００４０】
実施例では、ＯＤＦ工法を用いた。一対の基板１１ａ、１１ｂの一方上に、エレクトロデポジション材料を含む電解液を適量滴下する。滴下方法として、ディスペンサーやインクジェットを含む各種印刷方式が適用可能である。ここではディスペンサーを用いた。なお前述のシール材やギャップコントロール剤は、用いる電解液に耐性を有するもの（腐食されないもの）であることが好ましい。
【００４１】
真空中で、一対の基板１１ａ、１１ｂの重ね合わせを行った。大気中、もしくは窒素雰囲気中で行ってもよい。
【００４２】
紫外線を、たとえば２１Ｊ／ｃｍ２のエネルギ密度でシール材に照射し、シール材を硬化して、シール部１３を形成した。なお、紫外線がシール材のみに照射されるように、ＳＵＳマスクを使用した。
【００４３】
エレクトロデポジション材料を含む電解液は、エレクトロデポジション材料（ＡｇＮＯ３等）、電解質（ＴＢＡＢｒ; tetrabutylammonium bromide 等）、メディエータ（ＣｕＣｌ２等）、支持電解質（ＬｉＢｒ等）、溶媒（ＤＭＳＯ; dimethyl sulfoxide 等）、ゲル化用ポリマー（ＰＶＢ; polyvinyl butyral 等）などにより構成される。実施例においては、電解質をＴＢＡＢｒとした。溶媒であるＤＭＳＯ中に、エレクトロデポジション材料としてＡｇＮＯ３を５０ｍＭ添加し、支持電解質としてＬｉＢｒを２５０ｍＭ加え、メディエータとしてＣｕＣｌ２を１０ｍＭ添加した。そしてホストポリマーとしてＰＶＢを１０ｗｔ％加え、ゲル状（ゼリー状）の電解質層１４とした。
【００４４】
エレクトロデポジション材料には、たとえば銀を含むＡｇＮＯ３、ＡｇＣｌＯ４、ＡｇＢｒ等を使用することができる。
【００４５】
支持電解質は、エレクトロデポジション材料の酸化還元反応等を促進するものであれば限定されず、たとえばリチウム塩（ＬｉＣｌ、ＬｉＢｒ、ＬｉＩ、ＬｉＢＦ４、ＬｉＣｌＯ４等）、カリウム塩（ＫＣｌ、ＫＢｒ、ＫＩ等）、ナトリウム塩（ＮａＣｌ、ＮａＢｒ、ＮａＩ等）を好適に用いることができる。支持電解質の濃度は、たとえば１０ｍＭ以上１Ｍ以下であることが好ましいが、特に限定されるものではない。
【００４６】
溶媒は、エレクトロデポジション材料等を安定的に保持することができるものであれば限定されない。水や炭酸プロピレン等の極性溶媒、極性のない有機溶媒、更にはイオン性液体、イオン導電性高分子、高分子電解質等を使用することが可能である。具体的には、ＤＭＳＯの他、炭酸プロピレン、Ｎ，Ｎ−ジメチルホルムアミド、テトラヒドロフラン、アセトニトリル、ポリビニル硫酸、ポリスチレンスルホン酸、ポリアクリル酸等を好適に用いることができる。
【００４７】
図１を再参照する。前述のように、実施例による光量調整装置３５は、エレクトロデポジション素子３３の画素形成領域が、ストロボ３１のストロボ光出射面３１ｃを覆うように配置される。たとえば制御装置３４で、エレクトロデポジション素子３３（画素形成領域）の透過率を制御し、出射面３１ｃから出射されるストロボ光を任意の程度に減光し、照明光の光量を調整することができる。
【００４８】
第１実施例による光量調整装置３５は、エレクトロデポジション素子３３を透明状態とすることができるため、たとえばストロボ光出射面３１ｃにディフューザを配置する場合と異なり、取り外しを行う必要がない。したがって、たとえば着脱の手間のない光量制御装置一体型ストロボを構成することが可能である。また制御装置３４により、減光の度合いを容易に調整することができる。更に、機械的手段を使用しないため、小型化、軽量化が可能である。機械的手段の動作で発生する振動がないため、撮影画像にぶれが生じず、撮像品質を向上させることができる。
【００４９】
また、エレクトロデポジション素子３３で反射されたストロボ光は、リフレクタ３１ｂで反射され、光出射面３１ｃに再入射する。エレクトロデポジション素子３３で反射された光を再利用することで、ストロボ光の利用効率を向上させることができる。
【００５０】
なお、たとえばキセノン管等を使用するストロボの光出射面３１ｃに液晶素子を配置すると、発光時の強電界、高エネルギから、熱による素子劣化が生じやすい。実施例による光量調整装置３５は、これに比べ、電解液において、高温度でも使用可能な溶媒を用いることで、不具合が生じにくいという効果も有する。
【００５１】
このように第１実施例による光量調整装置３５は、高品質の光量調整装置である。
【００５２】
次に、第２実施例による光量調整装置３５について説明する。第１実施例による光量調整装置３５においては、エレクトロデポジション素子３３の透明電極１２ａ、１２ｂを、表面が平滑なベタ電極で構成したが、第２実施例においては、表面が平滑な複数の短冊状電極で構成する。
【００５３】
図３Ａに、第２実施例の上側及び下側透明電極１２ａ、１２ｂの概略的な平面図を示す。上側透明電極１２ａ、下側透明電極１２ｂは、各々一方向に延在する複数の短冊状電極で構成される。各短冊状電極は、相互に電気的に独立している。両電極（短冊状電極）１２ａ、１２ｂの延在方向は相互に交差、たとえば直交する方向であり、電極１２ａ、１２ｂの各短冊状電極の電極幅は、一例として、すべて等しい。このため、平面視上、電極１２ａ、１２ｂの各短冊状電極が重なる領域（画素）は正方形状である。本図には、画素に斜線を付して示した。画素は、シール部１３の内側領域に、ドットマトリクス状に分布する。
【００５４】
第２実施例に用いられるエレクトロデポジション素子３３においては、各画素に独立に電圧を印加可能（各画素位置の電解質層１４に独立に通電可能）である。したがって、各短冊状電極１２ａ、１２ｂへの直流電圧の印加態様によって、画素形成領域における透過及び反射の状態を、画素単位で任意に制御することができる。一例として、一部の画素を透明状態、他の一部の画素をハーフミラー状態、そして残部の画素をミラー状態とすること等が可能である。
【００５５】
なお、第２実施例に用いられるエレクトロデポジション素子３３は、透明導電膜が形成された透明基板１１ａ、１１ｂを準備し、透明導電膜をパターニングして、各々一方向に延在する複数の短冊状電極（透明電極１２ａ、１２ｂ）を形成した後、透明基板１１ａ、１１ｂを、短冊状電極１２ａ、１２ｂが対向し、かつ、その延在方向が、相互に直交するように配置してセル化を行い作製する。その他の作製条件は、第１実施例の場合と同様である。
【００５６】
図３Ｂは、第２実施例による光量調整装置３５を示す概略的な正面図である。
【００５７】
第２実施例による光量調整装置３５は、たとえばエレクトロデポジション素子３３の画素形成領域がストロボ３１のストロボ光出射面を覆うように配置され、画素単位で、出射面から出射されるストロボ光を任意の程度に減光し、照明光の光量を調整することができる。エレクトロデポジション素子３３（各画素）の透過率の制御は、制御装置３４によって行う。
【００５８】
第１実施例においては、減光が画素形成領域において一様に、均一的に行われる。第２実施例においても、全画素の透過率を一様に、均一的に変更することで、同様の光量調整を行うことができる。このため、第２実施例による光量調整装置３５は、第１実施例と同様の効果を奏することができる。
【００５９】
更に、第２実施例においては、画素の透過率を一様、均一的としないように、一例として、一部の画素の透過率が高く、残部の画素の透過率が低くなるように、エレクトロデポジション素子３３の画素状態を制御してもよい。第２実施例による光量調整装置３５は、照明光の光量分布を画素単位で任意に調整可能である。
【００６０】
たとえば、特に、至近距離でのフラッシュ撮影時、被写体の反射しやすい部分に対応する位置の画素の透過率を、他の画素の透過率よりも低くし（画素の反射率を、他の画素の反射率よりも高くし）、部分的に減光処理を行うことによって、光量調整装置３５を介して出射される照明光の全体的な光量を減少させることなく、撮影が可能である。このため、一層、撮像品質を高めることができる。
【００６１】
図４Ａは、第３実施例による光量調整装置３５を示す概略的な断面図である。第２実施例による光量調整装置３５においては、エレクトロデポジション素子３３の電極を、表面が平滑な複数の短冊状電極（上側透明電極１２ａ及び下側透明電極１２ｂ）で構成したが、第３実施例においては、上側透明電極１２ａ及び下側透明装飾電極１５ｂで構成する。
【００６２】
上側透明電極１２ａは、第２実施例と等しく、表面が平滑な複数の短冊状電極である。下側透明装飾電極（粒子修飾電極）１５ｂは、下側透明基板１１ｂ上に形成され、上側透明電極１２ａと対向して配置される、たとえばＩＴＯ（透明導電材料）の粒子が電極表面に固定された複数の短冊状電極である。ＩＴＯ粒子により、下側透明装飾電極１５ｂ表面には凹凸が形成されている。凹凸の高低差は、１００ｎｍ〜５００ｎｍ程度である。両電極（短冊状電極）１２ａ、１５ｂの延在方向は相互に交差、たとえば直交する方向であり、電極１２ａ、１５ｂの各短冊状電極の電極幅は、すべて等しい点等、第３実施例の他の構成は、第２実施例と同様である。
【００６３】
第３実施例による光量調整装置３５に用いられるエレクトロデポジション素子３３は、電極１２ａ、１５ｂ間に直流電圧を印加して駆動する。
【００６４】
制御装置３４により、上側透明電極１２ａを負、下側透明装飾電極１５ｂを正として両電極１２ａ、１５ｂ間に直流電圧を印加し、両電極１２ａ、１５ｂ間の電解質層１４に電流を流すと、通電した位置の電極１２ａ上に銀薄膜が形成され、画素が透明状態からミラー状態に切り替わる。
【００６５】
また、上側透明電極１２ａを正、下側透明装飾電極１５ｂを負として両電極１２ａ、１５ｂ間に直流電圧を印加し、両電極１２ａ、１５ｂ間の電解質層１４に電流を流すと、通電した位置の電極１５ｂ上に銀が析出・堆積する。表面に凹凸を有する下側透明装飾電極１５ｂ上に析出した銀は入射光の反射を生じないため、銀が析出・堆積した画素は黒く視認される（黒状態）。
【００６６】
なお、電極１２ａ、１５ｂ上に析出した銀は、電圧をＯＦＦとするか、逆バイアスを印加することにより、電極１２ａ、１５ｂ上から消失する。電極１２ａ、１５ｂ上の銀が消失することで、エレクトロデポジション素子３３はミラー状態または黒状態から透明状態に切り替わる。
【００６７】
第３実施例による光量調整装置３５に用いられるエレクトロデポジション素子３３は、電極１２ａ、１５ｂに電圧を印加することで、透明状態、ミラー状態、及び黒状態を実現することができる。また、電極１２ａ、１５ｂに印加する電圧値や電圧印加時間（電解質層１４に与える電流値や通電時間）を変えることによって、ミラー状態及び黒状態の程度（透過率）を任意に変更することも可能である。このため、第２実施例に用いられるエレクトロデポジション素子３３と同様に、各短冊状電極１２ａ、１５ｂへの直流電圧の印加態様により、画素形成領域における透過率の分布を、画素単位で任意に制御することができる。
【００６８】
したがって、第３実施例による光量調整装置３５は、第２実施例と同様の効果を奏することができる。
【００６９】
更に、黒状態は、ミラー状態より低透過率（たとえば１％以下の透過率）を実現可能である。したがって、第３実施例による光量調整装置３５は、第２実施例よりも、照明光の光量調整の幅を大きくすることができる。
【００７０】
なお、第３実施例に用いられるエレクトロデポジション素子３３は、下側透明装飾電極１５ｂを除き、第２実施例と同様に作製することができる。
【００７１】
下側透明装飾電極１５ｂは、一例として、下側透明基板１１ｂのＩＴＯ膜上に、ＩＴＯ粒子分散液（３０ｗｔ％）を、５００ｒｐｍで５秒間、１５００ｒｐｍで１５秒間スピンコートした後、２５０℃で６０分間焼成し、その後パターニングして形成することができる。
【００７２】
下側透明装飾電極１５ｂ（修飾粒子）は、ＩＴＯのほか、ＣＮＴや酸化亜鉛で形成してもよい。また、修飾（電極１５ｂ表面の凹凸形成）手法は、修飾粒子のスピンコートに限られない。下側透明基板１１ｂ上のＩＴＯ膜（透明導電膜）を直接荒らす手法など、導電性を損なわない手法を適用可能である。
【００７３】
図４Ｂは、第３実施例の変形例による光量調整装置３５を示す概略的な断面図である。第３実施例の変形例による光量調整装置３５は、エレクトロデポジション素子３３の上下電極が、ともに装飾電極（上側透明装飾電極１５ａ及び下側透明装飾電極１５ｂ）で構成される点で、第３実施例と相違する。装飾電極１５ａ、１５ｂは、第３実施例における装飾電極１５ｂと同様に作製することが可能である。
【００７４】
第３実施例の変形例に用いられるエレクトロデポジション素子３３は、透明状態と黒状態の切り替えはできるが、ミラー状態を実現することはできない。このため、第３実施例の変形例による光量調整装置３５は、たとえば第１〜第３実施例と異なり、ストロボ光の再利用が困難である。ストロボ光の利用効率が低い点を除き、第３実施例と同様の効果を奏することが可能である。
【００７５】
図５Ａは、第４実施例による光量調整装置３５を示す概略的な断面図である。第２実施例による光量調整装置３５においては、エレクトロデポジション素子３３の下側透明電極１２ｂが下側透明基板１１ｂ上に、直接形成されていた。第４実施例に用いられるエレクトロデポジション素子３３においては、下側透明基板１１ｂ上に透明部材１６が形成され、透明部材１６上に下側透明電極１２ｂが形成される。他の構成は、第２実施例と同様である。
【００７６】
透明部材１６は、たとえば電解質層１４とほぼ等しい屈折率を有する材料で形成され、プリズム形状を備える。下側透明電極１２ｂは、透明部材１６の表面形状に対応する形状（プリズムの斜面及び側面に沿う形状）を有する、表面が平滑な電極である。
【００７７】
第４実施例に用いられるエレクトロデポジション素子３３は、下側基板１０ｂを除き、第２実施例と同様に作製することができる。
【００７８】
下側基板１０ｂの作製においては、まず下側透明基板１１ｂ上に、所定量のアクリル系ＵＶ硬化性樹脂（透明樹脂）を滴下する。その上に、一例として、図５Ｂに概形を示す金型を配置して反転転写を行う。具体的には、金型を置いた後、厚手の石英を透明基板１１ｂの裏側に配置して、補強した状態でプレスを行う。プレス後、透明基板１１ｂ側（石英側）から紫外線を照射して、ＵＶ硬化性樹脂を硬化させることで、透明基板１１ｂ上に、金型の形状を反映する、プリズム形状の透明部材１６が形成される。
【００７９】
透明部材１６を洗浄した後、透明部材１６上に、ＩＴＯなどの透明導電材料で下側透明電極１２ｂを形成する。たとえばシート抵抗値５Ω□の透明導電膜（ＩＴＯ膜）をマグネトロンスパッタで成膜後、複数の短冊状にパターニングし、下側透明電極１２ｂとすることが可能である。
【００８０】
こうして、下側透明基板１１ｂ上に、透明部材１６、下側透明電極１２ｂが順に形成された下側基板１０ｂが作製される。
【００８１】
第４実施例による光量調整装置３５に用いられるエレクトロデポジション素子３３においては、上側透明電極１２ａを負、下側透明電極１２ｂを正として両電極１２ａ、１２ｂ間に直流電圧を印加し、両電極１２ａ、１２ｂ間の電解質層１４に電流を流すと、第２実施例と同様に、通電した位置の電極１２ａ上に銀薄膜が形成され、画素がミラー状態に切り替わる。
【００８２】
また、上側透明電極１２ａを正、下側透明電極１２ｂを負として両電極１２ａ、１２ｂ間に直流電圧を印加し、両電極１２ａ、１２ｂ間の電解質層１４に電流を流すと、通電した位置の電極１２ｂ上に銀薄膜が形成される。透明部材１６の表面形状（凹凸形状）に対応した形状を有する下側透明電極１２ｂ上に析出した銀は入射光を拡散する（拡散状態）。
【００８３】
なお、電極１２ａ、１２ｂ上に析出した銀は、電圧をＯＦＦとするか、逆バイアスを印加することにより、電極１２ａ、１２ｂ上から消失する。
【００８４】
第４実施例による光量調整装置３５に用いられるエレクトロデポジション素子３３は、電極１２ａ、１２ｂに電圧を印加し、画素単位で透明状態、ミラー状態、及び拡散状態を実現することができる。また、電極１２ａ、１２ｂに印加する電圧値や電圧印加時間（電解質層１４に与える電流値や通電時間）を変えることによって、ミラー状態及び拡散状態の程度（透過率）を、画素単位で任意に変更することも可能である。すなわちミラー状態では、減光の度合いを任意に調整することができ、拡散状態では、拡散の度合いを任意に調整することができる。ミラー状態においても、拡散状態においても、反射または拡散された光は再利用される。
【００８５】
第４実施例による光量調整装置３５は、第２実施例と同様に、各短冊状電極１２ａ、１２ｂへの直流電圧の印加態様により、画素形成領域における透過率の分布を、画素単位で任意に制御することができる。したがって、第２実施例と同様の効果を奏することができる。
【００８６】
更に、第４実施例においては、ミラー状態のほかに拡散状態を画素単位で実現可能であるため、きめ細かく、スポット的に光量の調整を行うことが可能である。拡散状態を用いることで、たとえば拡散制御装置一体型ストロボを構成することが可能である。
【００８７】
図６は、第５実施例による光量調整装置３５を示す概略的な断面図である。第４実施例のエレクトロデポジション素子３３は、表面が平滑な上側透明電極１２ａを備えたが、第５実施例においては、上側透明装飾電極１５ａが用いられる。他の構成は、第４実施例と同様である。
【００８８】
第５実施例の上側透明装飾電極１５ａは、たとえば第３実施例の変形例におけるそれと等しく、第３実施例の下側透明装飾電極１５ｂと同様に作製することができる。
【００８９】
第５実施例による光量調整装置３５に用いられるエレクトロデポジション素子３３においては、上側透明装飾電極１５ａを負、下側透明電極１２ｂを正として両電極１５ａ、１２ｂ間に直流電圧を印加し、両電極１５ａ、１２ｂ間の電解質層１４に電流を流すと、通電した位置の電極１５ａ上に銀が析出・堆積し、黒状態が実現される。
【００９０】
また、上側透明装飾電極１５ａを正、下側透明電極１２ｂを負として両電極１５ａ、１２ｂ間に直流電圧を印加し、両電極１５ａ、１２ｂ間の電解質層１４に電流を流すと、通電した位置の電極１２ｂ上に銀薄膜が形成され、拡散状態が実現される。
【００９１】
なお、電極１５ａ、１２ｂ上に析出した銀は、電圧をＯＦＦとするか、逆バイアスを印加することにより、電極１５ａ、１２ｂ上から消失し、エレクトロデポジション素子３３は、透明状態となる。
【００９２】
第５実施例による光量調整装置３５に用いられるエレクトロデポジション素子３３は、電極１５ａ、１２ｂに電圧を印加することにより、画素単位で透明状態、黒状態、及び拡散状態を実現することができる。また、電極１５ａ、１２ｂに印加する電圧値や電圧印加時間（電解質層１４に与える電流値や通電時間）を変えることによって、黒状態及び拡散状態の程度（透過率）を画素単位で任意に変更することも可能である。すなわち黒状態では、減光の度合いを任意に調整することができ、拡散状態では、拡散の度合いを任意に調整することができる。拡散状態を用いると、たとえば光量調整装置３５を介して出射される照明光の全体的な光量を減少させることなく、撮影が可能である。なお黒状態においては、ストロボ光の再利用が困難であるため、拡散状態より光の利用効率は低い。
【００９３】
第５実施例による光量調整装置３５は、各短冊状電極１５ａ、１２ｂへの直流電圧の印加態様により、画素形成領域における透過率の分布を、画素単位で任意に制御することができる。たとえば第２実施例による光量調整装置３５と比較したとき、黒状態を用いると、照明光の光量調整の幅を大きくすることができ、拡散状態を用いると、きめ細かく、スポット的に光量の調整を行うことが可能である。
【００９４】
以上、実施例に沿って本発明を説明したが、本発明はこれらに限定されるものではない。
【００９５】
たとえば第４実施例においては、下側基板１０ｂがプリズム形状の透明部材１６を含む構成としたが、上側基板１０ａ、下側基板１０ｂの少なくとも一方が、透明部材１６を含む構成とすることができる。
【００９６】
その他、種々の変更、改良、組み合わせ等が可能なことは当業者には自明であろう。
【産業上の利用可能性】
【００９７】
たとえばカメラに取り付けるストロボ、カメラに内蔵されるストロボ、動画撮影に用いられる照明装置等から出射される光の光量を調整する光量調整装置全般に利用することができる。光量制御装置一体型ストロボや拡散制御装置一体型ストロボを構成することも可能である。
【符号の説明】
【００９８】
１０ａ  上側基板
１０ｂ  下側基板
１１ａ  上側透明基板
１１ｂ  下側透明基板
１２ａ  上側透明電極
１２ｂ  下側透明電極
１３  シール部
１４  電解質層
１５ａ  上側透明装飾電極
１５ｂ  下側透明装飾電極
１６  透明部材
３１  ストロボ
３１ａ  光源
３１ｂ  リフレクタ
３１ｃ  光出射面
３２  ディフューザ
３３  エレクトロデポジション素子
３４  制御装置
３５  光量調整装置
【図１】
2015210341.tif 000003
【図２】
2015210341.tif 000004
【図３】
2015210341.tif 000005
【図４】
2015210341.tif 000006
【図５】
2015210341.tif 000007
【図６】
2015210341.tif 000008
【図７】
2015210341.tif 000009